(57)【要約】本発明の実施例は電力制御方法及びユーザ装置を提供する。該方法は、ユーザ装置が２つ又は２つ以上のコネクティビティのために電力制御パラメータをそれぞれ構成するステップと、該電力制御パラメータに基づいて対応するコネクティビティにおける信号の電力を制御し、該２つ又は２つ以上のコネクティビティについて電力をそれぞれ制御するステップと、を含む。本発明の実施例によれば、複数のリンクを有するシナリオの要求を満たすことができる。【選択図】図１
2016527819.tif 000002
【特許請求の範囲】
【請求項１】
電力制御方法であって、
ユーザ装置が、２つ又は２つ以上のコネクティビティのために電力制御パラメータをそれぞれ構成するステップと、
前記電力制御パラメータに基づいて対応するコネクティビティにおける信号の電力を制御し、前記２つ又は２つ以上のコネクティビティについて電力をそれぞれ制御するステップと、を含む、方法。
【請求項２】
前記２つ又は２つ以上のコネクティビティは、基地局との間のセルラーコネクティビティ、及び／又は他のユーザ装置との間のＤ２Ｄコネクティビティを含む、請求項１に記載の方法。
【請求項３】
前記ユーザ装置が、基地局又は他のユーザ装置により送信された情報を受信するステップ、をさらに含み、
受信された情報に基づいて、前記２つ又は２つ以上のコネクティビティのために電力制御パラメータをそれぞれ構成する、請求項１に記載の方法。
【請求項４】
前記ユーザ装置が、前記２つ又は２つ以上のコネクティビティについて信号を測定するステップ、をさらに含み、
測定結果に基づいて、前記２つ又は２つ以上のコネクティビティのために電力制御パラメータをそれぞれ構成する、請求項１に記載の方法。
【請求項５】
前記ユーザ装置が、異なるリソースについて前記電力制御パラメータをそれぞれ構成するステップ、をさらに含む、請求項１に記載の方法。
【請求項６】
前記リソースは、時間領域リソース及び／又は周波数領域リソースを含む、請求項５に記載の方法。
【請求項７】
前記時間領域リソースはサブフレームサブセットを含み、前記周波数領域リソースはリソースブロックグループ、リソースブロックセット又はコンポーネントキャリアを含む、請求項６に記載の方法。
【請求項８】
ユーザ装置であって、
２つ又は２つ以上のコネクティビティのために電力制御パラメータをそれぞれ構成するパラメータ構成手段と、
前記電力制御パラメータに基づいて対応するコネクティビティにおける信号の電力を制御し、前記２つ又は２つ以上のコネクティビティについて電力をそれぞれ制御する電力制御手段と、を含む、ユーザ装置。
【請求項９】
基地局又は他のユーザ装置により送信された情報を受信する受信手段、をさらに含み、
前記構成手段は、受信された情報に基づいて、前記２つ又は２つ以上のコネクティビティのために電力制御パラメータをそれぞれ構成する、請求項８に記載のユーザ装置。
【請求項１０】
前記２つ又は２つ以上のコネクティビティについて信号を測定する測定手段、をさらに含み、
前記構成手段は、測定結果に基づいて、前記２つ又は２つ以上のコネクティビティのために電力制御パラメータをそれぞれ構成する、請求項８に記載のユーザ装置。
【請求項１１】
前記構成手段は、異なるリソースについて前記電力制御パラメータをそれぞれ構成する、請求項８に記載のユーザ装置。
【請求項１２】
請求項８乃至１１のいずれかに記載のユーザ装置を含む、通信システム。
【請求項１３】
ユーザ装置においてプログラムを実行する際に、コンピュータに、請求項１乃至７のいずれかに記載の電力制御方法を前記ユーザ装置において実行させる、コンピュータ読み取り可能なプログラム。
【請求項１４】
コンピュータに、請求項１乃至７のいずれかに記載の電力制御方法をユーザ装置において実行させるためのコンピュータ読み取り可能なプログラムを記憶する、記憶媒体。
【発明の詳細な説明】
【技術分野】
【０００１】
本発明は、通信分野に関し、特に電力制御方法、ユーザ装置及び通信システムに関する。
【背景技術】
【０００２】
ＬＴＥ−Ａ（Ｌｏｎｇ  Ｔｅｒｍ  Ｅｖａｌｕａｔｉｏｎ  Ａｄｖａｎｃｅｄ）システムにおけるセルのカバレッジ及びユーザの体験を改善し、システムのスループット及びユーザのデータ伝送速度を向上するために、複数の小さいセル（ｓｍａｌｌ  ｃｅｌｌ）を密集して配置するシナリオ及びそれに対応する伝送／受信技術が導入された。このような技術は、ネットワークのカバレッジ範囲を強化でき、リソースの再利用率及びシステムのスループットを向上できると共に、所定のネットワーク容量を満足でき、且つアクセスネットワークのエネルギー消費総量を制御できる。
【０００３】
ピコー基地局（Ｐｉｃｏ  ｅＮｏｄｅＢ）、リモート無線ヘッド（ＲＲＨ：Ｒｅｍｏｔｅ  Ｒａｄｉｏ  Ｈｅａｄ）及びホーム基地局（Ｈｏｍｅ  ｅＮｏｄｅＢ）等の低電力のノードを用いることで、オペレータの要求及びトラヒックの地域特徴に応じてｓｍａｌｌ  ｃｅｌｌ及びｓｍａｌｌ  ｃｅｌｌ  ｃｌｕｓｔｅｒを配置できる。エアーインタフェース及びアクセスネットワークの技術をこのようなチャネル条件及び環境特徴により適合させるために、いくつかの新しい機能及び特徴が導入された。そのうちの１つの特徴は、デュアルコネクティビティ（ｄｕａｌ−ｃｏｎｎｅｃｔｉｖｉｔｙ）であり、データ伝送及び制御動作を行うようにユーザ装置に複数の無線アルコネクティビティを提供する。
【０００４】
一方、ピアツーピア（Ｐｅｅｒ−ｔｏ−Ｐｅｅｒ）通信、又は装置から装置（Ｄ２Ｄ：Ｄｅｖｉｃｅ−ｔｏ−Ｄｅｖｉｃｅ）の近接サービス（ｐｒｏｘｉｍｉｔｙ  ｓｅｒｖｉｃｅ）は、ユーザ装置間のより直接なインタラクション及び通信の形態である。ネットワーク側のインフラ設備のサポートがない場合、Ｄ２Ｄはａｄ  ｈｏｃネットワークにより類似する。
【０００５】
ネットワーク側のサポートがある場合、Ｄ２Ｄをセルラー通信ネットワークに統合すると、少なくとも下記のメリット及び応用をもたらす。例えば、Ｄ２Ｄ  ｄｉｓｃｏｖｅｒｙを近接装置のアプリケーションのために用いることができ、近接ユーザ装置のこのような特徴を複数の商業的なアプリケーションのレベルのために用いることができ、或いは、隣接するユーザ装置が通信を行う必要がある際にＤ２Ｄ通信を用いることができ、この通信方式を用いることでシステムのスループットを増加でき、ユーザ装置の消費を低減でき、ｅＮｏｄｅＢ側からトラヒックオフローディング（ｔｒａｆｆｉｃ  ｏｆｆｌｏａｄｉｎｇ）を行うことができ、或いはＤ２Ｄをリレー（ｒｅｌａｙ）とする技術を用いることで、セルのカバレッジを強化する。
【０００６】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００７】
発明者の発見によると、上記の２つのシナリオ又はそのうちの１つが導入された無線通信システムでは、従来のユーザ電力制御（Ｐｏｗｅｒ  Ｃｏｎｔｒｏｌ）の方式は新しいシナリオ及び用途に適用できない。これは、１つのユーザ装置が１つよりも多い無線リンクを同時に処理する必要があるが、従来の１つの電力制御パラメータ又は１つの電力制御方式が新しい要求を満たすことができないからである。
【０００８】
本発明の実施例は、ｓｍａｌｌ  ｃｅｌｌ又はＤ２Ｄ等の複数のリンクに関するシナリオにおいて信号の電力制御を行い、複数シナリオの要求を満たす電力制御方法、ユーザ装置及び通信システムを提供することを目的とする。
【課題を解決するための手段】
【０００９】
本発明の実施例の一の態様では、電力制御方法であって、ユーザ装置が、２つ又は２つ以上のコネクティビティのために電力制御パラメータをそれぞれ構成するステップと、前記電力制御パラメータに基づいて対応するコネクティビティにおける信号の電力を制御し、前記２つ又は２つ以上のコネクティビティについて電力をそれぞれ制御するステップと、を含む、方法を提供する。
【００１０】
本発明の実施例の他の態様では、ユーザ装置であって、２つ又は２つ以上のコネクティビティのために電力制御パラメータをそれぞれ構成するパラメータ構成手段と、前記電力制御パラメータに基づいて対応するコネクティビティにおける信号の電力を制御し、前記２つ又は２つ以上のコネクティビティについて電力をそれぞれ制御する電力制御手段と、を含む、ユーザ装置を提供する。
【００１１】
本発明の実施例の他の態様では、上記のユーザ装置を含む、通信システムを提供する。
【００１２】
本発明の実施例の他の態様では、ユーザ装置においてプログラムを実行する際に、コンピュータに、上記の電力制御方法を前記ユーザ装置において実行させる、コンピュータ読み取り可能なプログラムを提供する。
【００１３】
本発明の実施例の他の態様では、コンピュータに、上記の電力制御方法をユーザ装置において実行させるためのコンピュータ読み取り可能なプログラムを記憶する、記憶媒体を提供する。
【００１４】
本発明の実施例の有益な効果としては、ユーザ装置が２つ又は２つ以上のコネクティビティのために電力制御パラメータを構成することで、ｓｍａｌｌ  ｃｅｌｌ又はＤ２Ｄ等の複数のリンクに関するシナリオの要求を満たすことができる。
【００１５】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１６】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１７】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００１８】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。
【００１９】
本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】本発明の実施例の電力制御方法の１つのフローチャートである。
【図２】本発明の実施例の電力制御方法のもう１つのフローチャートである。
【図３】本発明の実施例の電力制御方法のもう１つのフローチャートである。
【図４】本発明の実施例の電力制御方法のもう１つのフローチャートである。
【図５】本発明の実施例の電力制御方法の一例を示す図である。
【図６】本発明の実施例のユーザ装置の１つの構成を示す図である。
【図７】本発明の実施例のユーザ装置のもう１つの構成を示すである。
【図８】本発明の実施例のユーザ装置のもう１つの構成を示す図である。
【図９】本発明の実施例の通信システムの１つの構成を示す図である。
【発明を実施するための形態】
【００２０】
図面を参照しながら、本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２１】
＜実施例１＞
本発明の実施例は電力制御方法を提供する。図１は本発明の実施例の電力制御方法の１つのフローチャートである。図１に示すように、該方法は下記のステップを含む。
【００２２】
ステップ１０１：ユーザ装置は２つ又は２つ以上のコネクティビティのために電力制御パラメータをそれぞれ構成する。
【００２３】
ステップ１０２：ユーザ装置は、電力制御パラメータに基づいて対応するコネクティビティにおける信号の電力を制御し、２つ又は２つ以上のコネクティビティについて電力をそれぞれ制御する。
【００２４】
本実施例では、２つ又は２つ以上のコネクティビティは、ユーザ装置と基地局との間のセルラーコネクティビティ（Ｃｅｌｌｕｌａｒ  Ｃｏｎｎｅｃｔｉｖｉｔｙ）、及び／又はユーザ装置と他のユーザ装置との間のＤ２Ｄコネクティビティ（Ｄ２Ｄ  Ｃｏｎｎｅｃｔｉｖｉｔｙ）を含んでもよい。
【００２５】
例えば、ユーザ装置は２つの通信リンクを同時に維持してもよく、その１つは基地局との間のＣｅｌｌｕｌａｒ  Ｌｉｎｋであり、もう１つは他の１つのユーザ装置との間のＤ２Ｄ  ｌｉｎｋである。或いは、他の２つのユーザ装置との間の２つのＤ２Ｄ  ｌｉｎｋであってもよい。或いは、１つはマクロ基地局との間のＣｅｌｌｕｌａｒ  Ｌｉｎｋであり、もう１つはピコー基地局との間のＣｅｌｌｕｌａｒ  ｌｉｎｋであってもよい。なお、本発明はこれに限定されず、例えば他のコネクティビティであってもよく、実際の状況に応じて具体的な応用シナリオを決定してもよい。
【００２６】
なお、本発明は２つのコネクティビティを一例として説明しているが、本発明はこれに限定されない。２つ以上のコネクティビティも本発明に適用してもよい。
【００２７】
本実施例では、ある応用シナリオにおいてアップリンク干渉調整を行ってもよい。ユーザ装置は、異なるアップリンクリソースでスケジューリングされてもよく、異なるアップリンクリソースは時分割であってもよいし、周波数分割であってもよい。異なるリソースに対応する受信ポイント／基地局／セル／ｃｏｎｎｅｃｔｉｖｉｔｙが異なる場合があるため、異なるアップリンク干渉状況及び経路損失が存在する場合がある。
【００２８】
ある応用シナリオでは、基地局がダウンリンクでオールモーストブランクサブフレーム（ＡＢＳ：Ａｌｍｏｓｔ  Ｂｌａｎｋ  Ｓｕｂｆｒａｍｅ）を用いた場合、ＡＢＳサブフレームでキャリーされたＵＬ  ｇｒａｎｔが遥かに少なくなり、ない場合もある。それに応じて、あるアップリンクｓｕｂｆｒａｍｅ  ｓｕｂｓｅｔには、アップリンク干渉特性が異なることになる。
【００２９】
本実施例では、２つ又は２つ以上のコネクティビティについて、異なるコネクティビティのために電力制御パラメータ（又は電力制御方式）をそれぞれ構成してもよい。各電力制御パラメータは１つのコネクティビティのためにサービスを提供するため、信号伝送をより正確に行うことができ、各種の異なるシナリオの要求を満たすことができる。
【００３０】
具体的に実施する際に、各コネクティビティが如何に電力制御パラメータに基づいて電力を制御するのは、従来技術を参照してもよい。また、各コネクティビティのために如何に対応する電力制御パラメータを構成することについて、ユーザ装置は、基地局又は他のユーザ装置により送信された情報に基づいて構成してもよいし、自分による信号に対する測定結果に基づいて構成してもよい。
【００３１】
図２は本発明の実施例の電力制御方法のもう１つのフローチャートである。図２に示すように、該方法は下記のステップを含む。
【００３２】
ステップ２０１：ユーザ装置は、基地局又は他のユーザ装置により送信された情報を受信する。
【００３３】
ステップ２０２：ユーザ装置は、受信された情報に基づいて、２つ又は２つ以上のコネクティビティのために電力制御パラメータをそれぞれ構成する。
【００３４】
ステップ２０３：ユーザ装置は、電力制御パラメータに基づいて対応するコネクティビティにおける信号の電力を制御し、２つ又は２つ以上のコネクティビティについて電力をそれぞれ制御する。
【００３５】
この実施形態では、ユーザ装置は、基地局又は他のユーザ装置により送信された情報に基づいて電力制御パラメータを構成してもよい。例えば、ユーザ装置Ａは、基地局により送信された構成情報を受信してＣｅｌｌｕｌａｒ  Ｌｉｎｋに対応する電力制御パラメータを構成してもよいし、ユーザ装置Ｂにより送信された測定情報を受信してＤ２Ｄ  Ｌｉｎｋに対応する電力制御パラメータを構成してもよい。
【００３６】
図３は本発明の実施例の電力制御方法のもう１つのフローチャートである。図３に示すように、該方法は下記のステップを含む。
【００３７】
ステップ３０１：ユーザ装置は、２つ又は２つ以上のコネクティビティについて信号を測定する。
【００３８】
ステップ３０２：ユーザ装置は、測定結果に基づいて、２つ又は２つ以上のコネクティビティのために電力制御パラメータをそれぞれ構成する。
【００３９】
ステップ３０３：ユーザ装置は、電力制御パラメータに基づいて対応するコネクティビティにおける信号の電力を制御し、２つ又は２つ以上のコネクティビティについて電力をそれぞれ制御する。
【００４０】
この実施形態では、ユーザ装置は、異なるコネクティビティの信号を測定し、測定結果に基づいて電力制御パラメータを構成してもよい。例えば、ユーザ装置Ａは、Ｃｅｌｌｕｌａｒコネクティビティにおける信号を測定し、測定結果に基づいて該Ｃｅｌｌｕｌａｒ  Ｌｉｎｋに対応する電力制御パラメータを構成してもよい。或いは、ユーザ装置Ａは、ユーザ装置Ｂとの間のＤ２Ｄコネクティビティにおける信号を測定し、測定結果に基づいて該Ｄ２Ｄ  Ｌｉｎｋに対応する電力制御パラメータを構成してもよい。
【００４１】
なお、以上は電力制御パラメータの構成方法を例示的に説明している。しかし、本発明はこれに限定されず、例えば、ユーザ装置は、基地局側の構成情報に基づいてＣｅｌｌｕｌａｒコネクティビティに対応する電力制御パラメータを構成し、測定結果に基づいてＤ２Ｄコネクティビティに対応する電力制御パラメータ等を構成してもよいし、実際の状況に基づいて具体的な構成方式を決定してもよい。
【００４２】
本実施例では、各制御パラメータは１つのリソースに対応してもよい。図４は本発明の実施例の電力制御方法のもう１つのフローチャートである。図４に示すように、該方法は下記のステップを含む。
【００４３】
ステップ４０１：ユーザ装置は、２つ又は２つ以上のコネクティビティのために電力制御パラメータをそれぞれ構成する。
【００４４】
ステップ４０２：ユーザ装置は、異なるリソースについて、異なる電力制御パラメータをそれぞれ構成する。
【００４５】
ステップ４０３：ユーザ装置は、電力制御パラメータに基づいて対応するコネクティビティにおける信号の電力を制御し、２つ又は２つ以上のコネクティビティについて電力をそれぞれ制御する。
【００４６】
ここで、該リソースは、時間領域リソース及び／又は周波数領域リソースを含む。時間領域リソースはサブフレームサブセット（Ｓｕｂｆｒａｍｅ  ｓｕｂｓｅｔ）を含んでもよく、周波数領域リソースはリソースブロックグループ（ＲＢ  Ｇｒｏｕｐ）、リソースブロックセット（ＲＢ  Ｓｅｔ）又はコンポーネントキャリア（Ｃｏｍｐｏｎｅｎｔ  Ｃａｒｒｉｅｒ）を含んでもよい。
【００４７】
図５は本発明の実施例の一例を示す図であり、ユーザ装置Ａが２つのコネクティビティ１、２をそれぞれ有し、ユーザ装置Ｂが２つのコネクティビティ３、４をそれぞれ有することを一例として説明する。
【００４８】
図５に示すように、ユーザ装置Ａは、異なるコネクティビティ１及びコネクティビティ２において、異なる電力制御パラメータをそれぞれ構成、使用してもよく、電力制御パラメータは異なるｓｕｂｆｒａｍｅ  ｓｅｔｓに対応してもよい。
【００４９】
P_1 =
min{Pcmax, Po_1 + alpha_1*PL_1} in subset＃1
P_2 =
min{Pcmax, Po_2 + alpha_2*PL_2} in subset＃2
ここで、Ｐ＿１はコネクティビティ１の送信電力を表し、Ｐｏ＿１はコネクティビティ１の受信機目標受信電力を表し、ａｌｐｈａ＿１はコネクティビティ１の経路損失補償係数を表し、ＰＬ＿１はコネクティビティ１の推定経路損失値を表し、Ｐ＿２はコネクティビティ２の送信電力を表し、Ｐｏ＿２はコネクティビティ２の受信機目標受信電力を表し、ａｌｐｈａ＿２はコネクティビティ２の経路損失補償係数を表し、ＰＬ＿２はコネクティビティ２の推定経路損失値を表し、Ｐｃｍａｘは所定値であり、ネットワーク側により構成された値であってもよいし、ユーザ装置側により予め設定された値であってもよい。
【００５０】
図５に示すように、ユーザ装置Ｂは、異なるコネクティビティ３及びコネクティビティ４において、異なる電力制御パラメータをそれぞれ構成、使用してもよく、異なる周波数領域リソース及び／又は時間領域リソースについて電力制御パラメータを構成してもよい。
【００５１】
P_3 =
Po_3 + alpha_3*PL_3+10*log(M_3) in subset/RBG＃1
P_4 =
Po_4 + alpha_4*PL_4+10*log(M_4) in subset/RBG＃2
コネクティビティ３及びコネクティビティ４により用いられるリソースが共に１つの伝送時間間隔（ＴＴＩ：Ｔｒａｎｓｍｉｓｓｉｏｎ  Ｔｉｍｅ  Ｉｎｔｅｒｖａｌ）に位置する場合、P_total=min{Pcmax, 10*log[10^(P_3/10)+10^(P_4/10)]}。
【００５２】
ここで、Ｐ＿３はコネクティビティ３の送信電力を表し、Ｐｏ＿３はコネクティビティ３の受信機目標受信電力を表し、ａｌｐｈａ＿３はコネクティビティ３の経路損失補償係数を表し、Ｍ＿３はコネクティビティ３においてユーザ装置により用いられるＰＲＢの数を表し、Ｐ＿４はコネクティビティ３の送信電力を表し、Ｐｏ＿４はコネクティビティ４の受信機目標受信電力を表し、ａｌｐｈａ＿４はコネクティビティ４の経路損失補償係数を表し、Ｍ＿４はコネクティビティ４においてユーザ装置により用いられるＰＲＢの数を表し、コネクティビティ３及びコネクティビティ４により用いられるリソースが１つのＴＴＩに同時に位置する場合、総送信電力が最大送信電力を超えてはならないことを計算する必要があり、Ｐ＿ｔｏｔａｌはユーザ装置の総送信電力を表す。
【００５３】
なお、図５には、２つ又は２つ以上のコネクティビティについて、異なるリソースに対して異なる電力制御パラメータをそれぞれ構成することのみを例示的に示している。しかし、本発明はこれに限定されず、実際のシナリオに基づいて具体的な実施形態を決定してもよい。
【００５４】
上記の実施例によれば、ユーザ装置が２つ又は２つ以上のコネクティビティのために電力制御パラメータを構成することで、ｓｍａｌｌ  ｃｅｌｌ又はＤ２Ｄ等の複数のリンクに関するシナリオの要求を満たすことができる。
【００５５】
＜実施例２＞
本発明の実施例は、実施例１に記載の電力制御方法に対応するユーザ装置を提供し、同じ内容についてその説明が省略される。
【００５６】
図６は本発明の実施例のユーザ装置の１つの構成を示す図である。図６に示すように、ユーザ装置６００は、パラメータ構成部６０１及び電力制御部６０２を含む。ユーザ装置６００の他の部分は、従来技術を参照してもよく、図面に示されていない。
【００５７】
パラメータ構成部６０１は、２つ又は２つ以上のコネクティビティのために電力制御パラメータをそれぞれ構成する。電力制御部６０２は、電力制御パラメータに基づいて対応するコネクティビティにおける信号の電力を制御し、２つ又は２つ以上のコネクティビティについて電力をそれぞれ制御する。
【００５８】
図７は本発明の実施例のユーザ装置のもう１つの構成を示すである。図７に示すように、上述したように、ユーザ装置７００は、パラメータ構成部６０１及び電力制御部６０２を含む。
【００５９】
図７に示すように、ユーザ装置７００は、基地局又は他のユーザ装置により送信された情報を受信する受信部７０３をさらに含んでもよい。また、構成部６０１は、受信された情報に基づいて、２つ又は２つ以上のコネクティビティのために電力制御パラメータをそれぞれ構成する。
【００６０】
図８は本発明の実施例のユーザ装置のもう１つの構成を示す図である。図８に示すように、上述したように、ユーザ装置８００は、パラメータ構成部６０１及び電力制御部６０２を含む。
【００６１】
図８に示すように、ユーザ装置８００は、２つ又は２つ以上のコネクティビティについて信号を測定する測定部８０３をさらに含んでもよい。また、構成部６０１は、測定結果に基づいて、２つ又は２つ以上のコネクティビティのために電力制御パラメータをそれぞれ構成する。
【００６２】
本実施例では、構成部６０１は、異なるリソースについて、異なる電力制御パラメータをそれぞれ構成する。
【００６３】
上記の実施例によれば、ユーザ装置が２つ又は２つ以上のコネクティビティのために電力制御パラメータを構成することで、ｓｍａｌｌ  ｃｅｌｌ又はＤ２Ｄ等の複数のリンクに関するシナリオの要求を満たすことができる。
【００６４】
＜実施例３＞
本発明の実施例は通信システムを提供し、該通信システムは実施例２に記載のユーザ装置、基地局及び他のユーザ装置を含む。
【００６５】
図９本発明の実施例の通信システムの１つの構成を示す図である。図９に示すように、通信システム９００は、ユーザ装置９０１、ユーザ装置９０２及び基地局９０３を含む。ここで、ユーザ装置９０１は、実施例２におけるユーザ装置６００、７００又は８００であってもよい。
【００６６】
一例として、ユーザ装置９０１は２つのコネクティビティ、即ちＤ２Ｄコネクティビティ及びＣｅｌｌｕｌａｒコネクティビティを有する。図９に示すように、ユーザ装置９０１は、ユーザ装置９０２とＤ２Ｄコネクティビティを行い、基地局９０３と従来のＣｅｌｌｕｌａｒコネクティビティを行う。これによって、ユーザ装置９０１は、Ｄ２Ｄコネクティビティ及びＣｅｌｌｕｌａｒコネクティビティのために、異なる電力制御パラメータを構成できる。
【００６７】
本発明の実施例は、ユーザ装置においてプログラムを実行する際に、コンピュータに、上記の実施例１に記載の電力制御方法を該ユーザ装置において実行させる、コンピュータ読み取り可能なプログラムをさらに提供する。
【００６８】
本発明の実施例は、コンピュータに、上記の実施例１に記載の電力制御方法をユーザ装置において実行させるためのコンピュータ読み取り可能なプログラムを記憶する、記憶媒体をさらに提供する。
【００６９】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【００７０】
一つ以上の機能ブロックおよび/または添付の図面内の機能ブロックの一つ以上の組合せは、汎用プロセッサ、デジタル信号プロセッサ（ＤＳＰ）、特定用途向け集積回路（ＡＳＩＣ）、フィールド・プログラマブル・ゲートとして実現されてもよいアレイ（ＦＰＧＡ）または他のプログラマブル論理デバイス、ディスクリートゲートまたはトランジスタ論理装置、ディスクリートハードウェアコンポーネント、またはそれらの任意の適切な組み合わせが挙げられる。これらはまた、例えば、ＤＳＰとマイクロプロセッサの組み合わせとして、コンピューティング機器の組み合わせとして通信ＤＳＰと組み合わせて、または任意の他のそのような構成における1つまたは複数のマイクロプロセッサ、複数のプロセッサを実現することができる。
【００７１】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016527819.tif 000003
【図２】
2016527819.tif 000004
【図３】
2016527819.tif 000005
【図４】
2016527819.tif 000006
【図５】
2016527819.tif 000007
【図６】
2016527819.tif 000008
【図７】
2016527819.tif 000009
【図８】
2016527819.tif 000010
【図９】
2016527819.tif 000011
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
電力制御方法であって、
ユーザ装置が、２つ以上のコネクティビティのために電力制御パラメータをそれぞれ構成するステップと、
前記電力制御パラメータに基づいて対応するコネクティビティにおける信号の電力を制御し、前記２つ以上のコネクティビティについて電力をそれぞれ制御するステップと、を含む、方法。
【請求項２】
前記２つ以上のコネクティビティは、基地局との間のセルラーコネクティビティ、及び／又は他のユーザ装置との間のＤ２Ｄコネクティビティを含む、請求項１に記載の方法。
【請求項３】
前記ユーザ装置が、基地局又は他のユーザ装置により送信された情報を受信するステップ、をさらに含み、
受信された情報に基づいて、前記２つ以上のコネクティビティのために電力制御パラメータをそれぞれ構成する、請求項１に記載の方法。
【請求項４】
前記ユーザ装置が、前記２つ以上のコネクティビティについて信号を測定するステップ、をさらに含み、
測定結果に基づいて、前記２つ以上のコネクティビティのために電力制御パラメータをそれぞれ構成する、請求項１に記載の方法。
【請求項５】
前記ユーザ装置が、異なるリソースについて前記電力制御パラメータをそれぞれ構成するステップ、をさらに含む、請求項１に記載の方法。
【請求項６】
前記リソースは、時間領域リソース及び／又は周波数領域リソースを含む、請求項５に記載の方法。
【請求項７】
前記時間領域リソースはサブフレームサブセットを含み、前記周波数領域リソースはリソースブロックグループ、リソースブロックセット又はコンポーネントキャリアを含む、請求項６に記載の方法。
【請求項８】
ユーザ装置であって、
２つ以上のコネクティビティのために電力制御パラメータをそれぞれ構成するパラメータ構成手段と、
前記電力制御パラメータに基づいて対応するコネクティビティにおける信号の電力を制御し、前記２つ以上のコネクティビティについて電力をそれぞれ制御する電力制御手段と、を含む、ユーザ装置。
【請求項９】
基地局又は他のユーザ装置により送信された情報を受信する受信手段、をさらに含み、
前記パラメータ構成手段は、受信された情報に基づいて、前記２つ以上のコネクティビティのために電力制御パラメータをそれぞれ構成する、請求項８に記載のユーザ装置。
【請求項１０】
前記２つ以上のコネクティビティについて信号を測定する測定手段、をさらに含み、
前記パラメータ構成手段は、測定結果に基づいて、前記２つ以上のコネクティビティのために電力制御パラメータをそれぞれ構成する、請求項８に記載のユーザ装置。
【請求項１１】
前記パラメータ構成手段は、異なるリソースについて前記電力制御パラメータをそれぞれ構成する、請求項８に記載のユーザ装置。
【請求項１２】
請求項８に記載のユーザ装置を含む、通信システム。
【手続補正２】
【補正対象書類名】明細書
【補正対象項目名】００５２
【補正方法】変更
【補正の内容】
【００５２】
ここで、Ｐ＿３はコネクティビティ３の送信電力を表し、Ｐｏ＿３はコネクティビティ３の受信機目標受信電力を表し、ａｌｐｈａ＿３はコネクティビティ３の経路損失補償係数を表し、Ｍ＿３はコネクティビティ３においてユーザ装置により用いられるＰＲＢ（ｐｈｙｓｉｃａｌ  ｒｅｓｏｕｒｃｅ  ｂｌｏｃｋ）の数を表し、Ｐ＿４はコネクティビティ４の送信電力を表し、Ｐｏ＿４はコネクティビティ４の受信機目標受信電力を表し、ａｌｐｈａ＿４はコネクティビティ４の経路損失補償係数を表し、Ｍ＿４はコネクティビティ４においてユーザ装置により用いられるＰＲＢの数を表し、コネクティビティ３及びコネクティビティ４により用いられるリソースが１つのＴＴＩに同時に位置する場合、総送信電力が最大送信電力を超えてはならないことを計算する必要があり、Ｐ＿ｔｏｔａｌはユーザ装置の総送信電力を表す。
【国際調査報告】
2016527819.tif 000012
2016527819.tif 000013
2016527819.tif 000014
2016527819.tif 000015